(57)【特許請求の範囲】
【請求項１】
画像出力が可能で、サーバにネットワークを介して接続可能な複合機であって、
携帯端末装置と無線で通信する無線通信部と、
表示部と、
前記携帯端末装置から若しくは前記複合機に設けられた操作部から入力された、ユーザ識別情報を少なくとも含むユーザ情報に基づき、前記サーバにユーザ認証を要求する認証処理部と、
前記サーバから前記ユーザ認証に成功した場合に送信される、ユーザインターフェース画像を前記表示部に表示させ、他のユーザインターフェース画像を前記携帯端末側表示部に表示させる指示を受信する受信部と、
を有し、
前記ユーザインターフェース画像及び前記他のユーザインターフェース画像は、前記ユーザ識別情報に応じて指定された、前記複合機を操作するための画像であり、
前記ユーザインターフェース画像を前記表示部に表示させ、前記他のユーザインターフェース画像を前記携帯端末側表示部に表示させた状態で、前記操作部から受け付けたユーザ操作、若しくは前記無線通信部を介して前記携帯端末装置から受け付けたユーザ操作に従って、画像出力を実行することを特徴とする複合機。
【請求項２】
前記サーバは、前記携帯端末装置からのユーザ操作の履歴を前記複合機から取得して格納する履歴格納部、および、前記指示を出すインターフェース指示部を有し、
該インターフェース指示部は、前記ユーザ識別情報に応じて指定する前記ユーザインターフェース画像及び前記他のユーザインターフェース画像を、前記ユーザ操作の履歴に従って変更することを特徴とする請求項１に記載の複合機。
【請求項３】
前記サーバは、前記携帯端末装置又は前記携帯端末装置とは異なる情報処理装置から、前記ネットワークを介し且つ前記ユーザ識別情報を指定してなされた、画像出力対象のコンテンツの登録処理を受け付け、前記コンテンツを前記ユーザ識別情報に関連付けて格納するコンテンツ登録部を有し、
前記複合機は、前記コンテンツを前記サーバから取得し、取得した前記コンテンツについて画像出力を実行することを特徴とする請求項１又は２に記載の複合機。
【請求項４】
前記コンテンツ登録部は、前記登録処理に際し、前記コンテンツに関連付けて前記コンテンツに関する画像出力設定を登録し、
前記複合機は、前記コンテンツについて画像出力を実行する際、前記サーバから取得した前記画像出力設定に基づき画像出力を実行することを特徴とする請求項３に記載の複合機。
【請求項５】
前記複合機は、前記画像出力を実行する際、前記携帯端末装置から取得したコンテンツ
について画像出力を実行することを特徴とする請求項１又は２に記載の複合機。
【発明の詳細な説明】
【技術分野】
【０００１】
本発明は、複合機及びその複合機に組み込むためのプログラムに関する。
【背景技術】
【０００２】
近年、コンビニエンスストア（以下、「ＣＶＳ」と言う）では、事前に予約をした興行チケットの発行やクーポン券の発行、電子決済も可能なアイテムの購入、といった様々なシチュエーションにおいて、ネットワークに接続された複合機が用いられている。一方で、近年、ローカルインターフェースや有線又は無線のＬＡＮ（Local Area Network）のインターフェースを搭載した携帯端末装置の流通量が増加している。このような携帯端末装置としては、携帯電話機（スマートフォンと呼ばれるものも含む）、携帯情報端末（ＰＤＡ）、モバイルＰＣ（パーソナルコンピュータ）などが挙げられる。そして、上述のような複合機にユーザ側から接続するといったユースケースにおいても、このような携帯端末装置を使用するケースが増えている。
【０００３】
また、各企業では、クラウドコンピューティング（以下、単に「クラウド」と言う）におけるネットワーク対応機器との連携により、顧客へのクイックリーなサービスを提供することのみならず、メンテナンスを行うサービスマンとの連携や様々な情報の集計処理への連携を行うことで、アプライアンスの機能を向上させようと開発がなされている。
【０００４】
エンドユーザは、事前に携帯端末装置などのネットワーク対応機器から、必要としている機能について予約や登録を行い、ＣＶＳにおいて規定の手順に従い情報やチケット等の取得や購入など、その機能を享受している。また、ＣＶＳのみならず会社内の売店や大学などの公共機関においても同じように、事前登録しておいた情報やチケット等の取得や購入などのトリガとして、学生証や社員証に用いられているＩＣ（Integrated Circuit）カードなどの近距離無線装置を使用するケースが多くなっている。
【０００５】
クラウドでは、ユーザを識別するための識別情報が各種情報の抽出のために用いられている（例えば特許文献１〜４を参照）。特許文献１には、ＩＤ（Identification）コードをデジタル化された配信情報に付加してＩＤコード付配信情報として放送や通信ネットワーク上に配信しておき、ＩＤコードを識別する機能を組み込んだ情報機器を所有し且つそのＩＤコードが一致する個人ユーザのみがその配信情報を見ることができるようにし、また個人ユーザから返信された返事をＩＤコードとセットにしてデータベースに格納する技術が開示されている。
【０００６】
特許文献２には、ユーザ認証及びサービス承認を管理し、複数のドメインに存在する複数のネットワークに１つの識別情報だけでアクセスする技術が開示されている。
【０００７】
特許文献３には、資源サービスを要求するクライアントと資源サービスを提供するサーバがネットワーク接続された分散環境下で、ＵＲＬ（Uniform Resource Locator）の変数をクライアント・ユーザの個人情報に変換する手続を含んだ形式で記述されたＵＲＬを用いることで、個人情報を管理していない資源提供者であっても個人情報を利用してそのユーザ用にカスタマイズした資源をそのユーザに提供する技術が開示されている。
【０００８】
特許文献４には、サーバにおいて、遠隔制御可能な端末装置に記録された各電化製品の時系列の動作状態を示す利用履歴情報を受信し、その利用履歴情報に基づいて各電化製品の使用状況を分析して、分析された使用状況に基づいた推奨情報を端末装置に対して提供する技術が開示されている。
【０００９】
また、複合機などの操作パネルをユーザに応じてカスタマイズする技術も提案されている（例えば特許文献５，６を参照）。特許文献５には、外部装置に接続され、外部装置の状態変化に対応した表示を可能とするプログラム式の操作表示装置において、この操作表示装置を操作する個人を特定し、特定された個人に対応した内容の表示及び操作を可能にする技術が開示されている。
【００１０】
特許文献６には、ＯＡ機器と管理装置とがネットワークを介して接続された管理システムにおいて、このようなユーザカスタマイズを行う技術が開示されている。特許文献６に記載の管理システムでは、ＯＡ機器がＩＣカードから識別情報を読み出して管理装置に送信し、管理装置がこの識別情報に対応付けて記憶されたパネル情報をＯＡ機器に送信し、ＯＡ機器がそのパネル情報に従って、自己に設定されたパネル画像と異なるパネル画像を表示するようになっている。
【先行技術文献】
【特許文献】
【００１１】
【特許文献１】特開２００２−１０８７４１号公報
【特許文献２】特表２００８−５０６１３９号公報
【特許文献３】特開２０００−２４２６５８号公報
【特許文献４】特開２００２−２０３１６８号公報
【特許文献５】特開２００２−３６６２４８号公報
【特許文献６】特開２００４−２８２６７３号公報
【発明の概要】
【発明が解決しようとする課題】
【００１２】
特許文献６に記載の技術により、クラウドの機能を用いてＣＶＳ店舗の場所などの環境に依存することなく、ユーザが事前登録したユーザ識別情報を元にしてそのユーザに合致したユーザインターフェースを複合機に提供することが可能になる。すなわち、この技術により、複合機に対してクラウドサーバからユーザカスタマイズされたユーザインターフェースを提供できるようになり、例えば今までの使用履歴に基づいて、印刷機能、ファクシミリ送信機能、インターネットファクシミリ送信機能などワンクリックでユーザが望む機能を実行できるようなユーザインターフェースを提供することなども可能になる。
【００１３】
しかしながら、第一に、全ての店舗で常に同じ機種の複合機を使用するといったことは、喩え同じ系列のＣＶＳ店舗であっても、システム導入に要する期間、機器の入れ換え時期、メーカーの生産期間などを鑑みると現実的ではない。第二に、実際、ユーザはいつも同じ機種の複合機が設置される店舗を利用するわけではない。第三に、喩え同じメーカーの複合機であっても、同じ機種でないと操作パネルの表示能力や操作パネルで表示できる内容が異なることある。
【００１４】
このような事情から、特許文献６に記載の技術を用いてユーザが望むユーザインターフェースを常に利用できるようにするためには、画像出力サービスへの事前登録の作業を、店舗に出向いて機種が異なる度に毎回同じように行う必要が生じる。そして、ユーザビリティ視点から考えると、以前登録した情報であってもこのような登録作業を行う必要が生じ得るため、どのＣＶＳ店舗においてもその場で素早く画像出力サービスを提供するといった利便性は得られない。
【００１５】
また、今後は、クラウドサーバから複合機に対して、ユーザが望む画質や用紙サイズといった印刷設定情報など、ユーザカスタマイズ情報を提供することも望まれる。
【００１６】
本発明は、上述のような実状に鑑みてなされたものであり、その目的は、複合機においてユーザカスタマイズされたユーザインターフェース画像で操作させることを、容易に可能にすることにある。
【課題を解決するための手段】
【００１７】
上記課題を解決するために、本発明の第１の技術手段は、画像出力が可能で、サーバにネットワークを介して接続可能な複合機であって、携帯端末装置と無線で通信する無線通信部と、表示部と、前記携帯端末装置から若しくは前記複合機に設けられた操作部から入力された、ユーザ識別情報を少なくとも含むユーザ情報に基づき、前記サーバにユーザ認証を要求する認証処理部と、前記サーバから前記ユーザ認証に成功した場合に送信される、ユーザインターフェース画像を前記表示部に表示させ、他のユーザインターフェース画像を前記携帯端末側表示部に表示させる指示を受信する受信部と、を有し、前記ユーザインターフェース画像及び前記他のユーザインターフェース画像は、前記ユーザ識別情報に応じて指定された、前記複合機を操作するための画像であり、前記ユーザインターフェース画像を前記表示部に表示させ、前記他のユーザインターフェース画像を前記携帯端末側表示部に表示させた状態で、前記操作部から受け付けたユーザ操作、若しくは前記無線通信部を介して前記携帯端末装置から受け付けたユーザ操作に従って、画像出力を実行することを特徴としたものである。
【００１９】
第２の技術手段は、第１の技術手段において、前記サーバは、前記携帯端末装置からのユーザ操作の履歴を前記複合機から取得して格納する履歴格納部、および、前記指示を出すインターフェース指示部を有し、前記インターフェース指示部は、前記ユーザ識別情報に応じて指定する前記ユーザインターフェース画像及び前記他のユーザインターフェース画像を、前記ユーザ操作の履歴に従って変更することを特徴としたものである。
【００２０】
第３の技術手段は、第１又は第２の技術手段において、前記サーバは、前記携帯端末装
置又は前記携帯端末装置とは異なる情報処理装置から、前記ネットワークを介し且つ前記
ユーザ識別情報を指定してなされた、画像出力対象のコンテンツの登録処理を受け付け、
前記コンテンツを前記ユーザ識別情報に関連付けて格納するコンテンツ登録部を有し、前
記複合機は、前記コンテンツを前記サーバから取得し、取得した前記コンテンツについて
画像出力を実行することを特徴としたものである。
第４の技術手段は、第３の技術手段において、前記コンテンツ登録部は、前記登録処理
に際し、前記コンテンツに関連付けて前記コンテンツに関する画像出力設定を登録し、前
記複合機は、前記コンテンツについて画像出力を実行する際、前記サーバから取得した前
記画像出力設定に基づき画像出力を実行することを特徴としたものである。
【００２１】
第５の技術手段は、第１又は第２の技術手段において、前記複合機は、前記画像出力を
実行する際、前記携帯端末装置から取得したコンテンツについて画像出力を実行すること
を特徴としたものである。
【発明の効果】
【００２２】
本発明によれば、複合機においてユーザカスタマイズされたユーザインターフェース画像で操作させることを、容易に可能にする。
【図面の簡単な説明】
【００２３】
【図１】本発明に係る画像出力システムの一構成例を示す図である。
【図２】図１の画像出力システムにおける複合機の操作パネルの一例を示す図である。
【図３】図１の画像出力システムにおける携帯端末装置の表示パネルの一例を示す図である。
【図４】図１の画像出力システムにおける携帯端末装置の表示パネルの他の例を示す図で、図３の例とは異なるユーザが使用している場合の例を示す図である。
【図５】図１の画像出力システムを利用してユーザが画像出力を行う場合の流れの一例を説明するためのフロー図である。
【図６】図１の画像出力システムにおける複合機の動作の一例を説明するためのフロー図である。
【発明を実施するための形態】
【００２４】
図１は、本発明に係る画像出力システムの一構成例を示す図である。図１で例示する画像出力システム（以下、「本システム」と言う）は、サーバと、そのサーバにクラウドのネットワークＮを介して接続された複数の複合機（以下、「ＭＦＰ」と言う）１とを備えたシステムである。
【００２５】
以下、このようなサーバの例として、認証サーバ２、クラウドサーバ３、及びコンテンツサーバ４を分散させて、クラウドのネットワークＮ上に配置した例を挙げて説明するが、分散させなくてもよい。また、ＭＦＰ１は、ＣＶＳの各店舗に設置されており、少なくとも同じフランチャイズの店舗については或る程度の割合で設置しておくことで、利便性が得られる。但し、ＭＦＰ１のＣＶＳ店舗への設置を前提として説明するが、本システムは官公庁や学校など様々な場所に設置することができる。
【００２６】
本システムは、ＭＦＰ１とクラウドのシステムを連携させて、画像出力に際しての使用簡易性を含めたユーザビリティを向上させたものである。より具体的には、本システムは、ＣＶＳの店舗で設置されているＭＦＰ１を使用して、画像処理対象のコンテンツについてＭＦＰ１にて画像出力を行う画像処理サービス（画像処理対象のコンテンツの提供を行うサービスを含んでもよい）を提供する場合に、クラウドネットワークを使用して提供する。そして、本システムは、クラウドのシステムと連携させて何処の店舗でＭＦＰ１を使用しようとしても、使用ユーザが一度設定した操作に係るユーザカスタマイズ情報（オペレーションパネルカスタマイズ情報）などと即座に連携して煩わしさをなくすようにするものである。
【００２７】
ここで、画像出力とは、対象となるコンテンツの印刷（ＦＡＸ受信データの印刷も含めてよい）、インターネットを介したＦＡＸ送信（インターネットＦＡＸ送信）、携帯端末装置５やＭＦＰ１に装着したＵＳＢ（Universal Serial Bus）メモリ等の可搬記録媒体へのコピーなどが該当する。このコピーには、コンテンツ購入機能により購入したコンテンツのコピーが該当するだけでなく、後述するユーザ自身によって登録したコンテンツについても急にデータが必要になることがあるため該当する。本システムは、画像出力として印刷を含む場合には、ネットワークプリントシステムと呼ばれることもある。
【００２８】
ＭＦＰ１は、全体を制御する主制御部１０の他に、表示部及び操作部でなる操作パネル１２、及び画像出力部１４を有する。そして、本システムで使用するＭＦＰ１は、その主たる特徴として、後述する無線通信部１１及び認証処理部１３も備えるものとする。
【００２９】
以下、操作パネル１２がタッチパネルを有し、操作部の一部も兼ねることを前提に説明するが、別途設けられた操作ボタンのみで表示のＵＩ画像に基づく操作を行うようにしてもよい。画像出力部１４としては、例えば印字部、ネットワークアダプタなどが該当する。主制御部１０は、ハードウェアとプログラム（ファームウェア）とにより構成すればよい。このハードウェアとしては、マイクロコンピュータ、プログラム可能なＩＣチップ等の汎用の集積回路／チップセットなどが挙げられる。プログラム（ファームウェア）としては、そのハードウェアにより各部１１，１２，１４や図示しない他の部位を制御しながら、認証処理部１３の処理を含めた本発明に係るＭＦＰ１側の処理を実行させるためのプログラムが該当する。また、主制御部１０は、ハードウェアのみで構成してもよく、その場合、本発明に係るＭＦＰ１における各部１１〜１４や図示しない他の部位の制御を実行する専用のマイクロコンピュータ又は専用の集積回路／チップセットなどを搭載すればよい。
【００３０】
また、本発明では、携帯端末装置５でＭＦＰ１を操作可能なように構成する。この携帯端末装置５としては、携帯電話機（スマートフォンと呼ばれるものも含む）、携帯情報端末、モバイルＰＣなどが挙げられる。この携帯端末装置５は、全体を制御する主制御部５０の他に、表示パネル５２で例示した表示パネル５２と、ユーザ操作を受け付ける操作部と、後述する無線通信部５１を有する。
【００３１】
以下、表示パネル５２がタッチパネルであって操作部も兼ねることを前提に説明するが、別途、操作ボタンが設けられ、その操作ボタンにより表示パネル５２に表示されたＵＩ画像に基づく操作を行うようにしてもよい。主制御部５０も、主制御部１０と同様に、ハードウェアとプログラムとにより構成すればよい。プログラム（ファームウェア又はソフトウェア）としては、そのハードウェアにより各部５１，５２や図示しない他の部位を制御しながら本発明に係る携帯端末装置５側の処理を実行させるためのプログラムが該当する。また、主制御部５０も、主制御部１０と同様に、ハードウェアのみで構成してもよく、その場合、本発明に係る携帯端末装置５における各部５１，５２や図示しない他の部位の制御を実行する専用のマイクロコンピュータ又は専用の集積回路／チップセットなどを搭載すればよい。
【００３２】
また、認証サーバ２や、クラウドサーバ３、コンテンツサーバ４は、主制御部を有する。この主制御部も、主制御部１０と同様に、ハードウェアとプログラムとにより構成すればよい。プログラム（ソフトウェア）としては、そのハードウェアによりサーバ内の後述する各部や図示しない他の部位を制御しながら本発明に係る各サーバ側の処理を実行させるためのプログラムが該当する。また、この主制御部も、主制御部１０と同様に、ハードウェアのみで構成してもよく、その場合、本発明に係る各サーバの後述する各部や図示しない他の部位の制御を実行する専用のマイクロコンピュータ又は専用の集積回路／チップセットなどを搭載すればよい。但し、サーバ用のコンピュータとしてはＰＣ等の汎用コンピュータも適用できる。
【００３３】
本システムは、概略的にこのような構成を備える。以下、本システムにおける各装置の構成や機能の詳細について、図２〜図４も併せて参照しながら説明する。図２は、図１の画像出力システムにおけるＭＦＰの操作パネルの一例を示す図で、図３は、図１の画像出力システムにおける携帯端末装置の表示パネルの一例を示す図である。また、図４は、図１の画像出力システムにおける携帯端末装置の表示パネルの他の例を示す図で、図３の例とは異なるユーザが使用している場合の例を示す図である。
【００３４】
まず、ＭＦＰ１の無線通信部１１は、携帯端末装置５と無線で通信するインターフェースである。この通信の相手が携帯端末装置５側に設けられた無線通信部５１であり、この無線通信部５１も無線で通信を行うインターフェースである。
【００３５】
無線通信部１１と無線通信部５１とは、少なくともＭＦＰ１が設置された屋内又は設置されたフロア内で通信可能であればよいが、ＭＦＰ１に近接した位置に近寄らないと通信可能でならないような通信方式であってもよい。例えば、Ｗｉ−Ｆｉ（登録商標）等の無線ＬＡＮ、赤外線通信やBluetooth（登録商標）等の近距離無線通信（ＮＦＣ：Near Field Communication）などを利用してもよい。なお、無線通信部１１及び無線通信部５１の代わりに有線Ｉ／Ｆ及びケーブルを利用してもよいが、無線通信の方がケーブル接続の手間が省けるため、現実的である。
【００３６】
ＭＦＰ１の認証処理部１３は、携帯端末装置５から若しくはＭＦＰ１に設けられた操作部（図１では操作パネル１２）から入力された、ユーザ識別情報（以下、「ユーザＩＤ」と言う）を少なくとも含むユーザ情報に基づき、サーバ（この例では認証サーバ２）にユーザ認証を要求する。なお、認証サーバ２をはじめ、クラウドサーバ３やコンテンツサーバ４との通信には、図示しないネットワークアダプタを各装置に設けておけばよい。
【００３７】
より具体的に認証処理部１３の処理を説明する。認証処理部１３は、携帯端末装置５からの無線通信による接続要求を受け付けた場合、ユーザＩＤ等のユーザ情報を携帯端末装置５に要求し、携帯端末装置５の表示パネル５２から入力されたユーザＩＤ等のユーザ情報に基づき、認証サーバ２にユーザ認証を要求する。若しくは、認証処理部１３は、操作パネル１２から接続要求の操作を受け付けた場合、ユーザＩＤ等のユーザ情報を要求するＵＩ画像を操作パネル１２に表示し、操作パネル１２から入力されたユーザＩＤ等のユーザ情報に基づき、認証サーバ２にユーザ認証を要求する。認証処理部１３はこれらの処理の一方のみ可能としておいてもよいし、双方の処理を可能としておいてもよい。いずれの場合も、要求の結果としての認証結果は要求された側に返せばよく、返すだけでなくユーザに認証結果が分かるように表示させることが好ましい。
【００３８】
認証サーバ２は、ＭＦＰ１からの要求に応じてユーザ認証を行うユーザ認証部２１を有する。ユーザ認証部２１は、ユーザ認証のために、ユーザＩＤとパスワードとを関連付けて格納している。ユーザＩＤとパスワードが上記ユーザ情報の例であるが、上記ユーザ情報としてはその他に住所、電話番号なども利用してもよい。なお、簡易なシステムで且つ本システムでの画像出力対象が本システムで提供するコンテンツのみである場合には、パスワードは使用しなくてもよい。
【００３９】
また、本システムにおけるサーバ（この例ではクラウドサーバ３）は、ＵＩ指示部３１で例示したインターフェース指示部を有し、好ましくは後述する履歴格納部３２も有する。ＵＩ指示部３１は、ユーザ認証部２１によるユーザ認証に成功した場合に、携帯端末装置５における表示部（以下、表示パネル５２で例示）に表示してＭＦＰ１を操作するためのＵＩ画像を、ユーザＩＤに応じて指定し、そのＵＩ画像を携帯端末装置５に表示させるようＭＦＰ１に指示する。
【００４０】
この指示としては、（ａ）ＭＦＰ１にＵＩ画像を送信して提供してもよいし、（ｂ）ＭＦＰ１に予め格納してあるＵＩ画像のどれをどの手順で表示させるかを指示してもよいし、（ｃ）ＭＦＰ１を経由して、携帯端末装置５に予め格納してあるＵＩ画像のどれをどの手順で表示させるかを指示してもよい。手順については、一連のＵＩ画像及びユーザ操作によってどのようなＵＩ画像が遷移するかのデータなどがあればよい。
【００４１】
ここで、上記（ｂ）の場合、ＭＦＰ１に要素となるアイコンなどのアイテムを保存しておき、そのようなアイテムをファームウェアにより読み出し可能に格納しておいてもよい。上記（ｃ）の場合、携帯端末装置５に要素となるアイコンなどのアイテムを保存しておいてもよいし、そのようなアイテムをファームウェア又はソフトウェアにより読み出し可能に格納しておいてもよい。上記（ａ）〜（ｃ）のいずれの場合でも、ＵＩ指示部３１では、ユーザＩＤとそのユーザに対応するＵＩ画像（又はそのＵＩ画像を特定するための情報）とを関連付けて格納しておけば、ユーザＩＤに応じた指定は可能である。
【００４２】
ＵＩ指示部３１による上述のような指示に従って、ＭＦＰ１の主制御部１０は無線通信によりこの指示を携帯端末装置５に伝える。この指示に従った携帯端末装置５側での表示及び表示例については、本発明の主たる特徴の一つであり、その詳細を後述する。
【００４３】
また、このとき、ＭＦＰ１の操作パネル１２における性能等により、もしこの指示に従ったＵＩ画像が操作パネル１２でも表示可能であれば、図２のＵＩ画像６０で例示するように操作パネル１２の表示部に表示させることが好ましい。但し、このような表示は行わなくてもよく、その場合、操作パネル１２の表示部にはＭＦＰ１の基本画面のＵＩ画像や所定の画面のＵＩ画像を表示させておけばよい。
【００４４】
なお、図２の例における操作パネル１２では、画像出力をカラーモードで実行するためのスタートボタン６５、画像出力をモノクロモードで実行するためのスタートボタン６６も設けられている。また、操作パネル１２において、赤外線送受信部、Bluetooth（登録商標）通信部のアンテナ部、或いはＷｉ−Ｆｉ（登録商標）のアンテナ部６７も設けられており、これは無線通信部１１に該当する。
【００４５】
ＵＩ画像６０は、ユーザａａａａａがサービス（サービス名は○○）を利用して画像出力を行う場合のＵＩ画像の例で、このユーザａａａａａ用にカスタマイズされた操作領域６１を有する。ＵＩ指示部３１は、携帯端末装置５や他の情報処理装置（ＰＣ等）から機能の順番を設定することやＵＩ画像そのものを選択することができるように構成しておく。そして操作領域６１は、このユーザａａａａａが事前にＵＩ指示部３１に対して設定した或いは後述するように操作履歴に基づき決定された機能の順番で、且つ同じく事前に設定した或いは操作履歴に基づき決定された１つの機能が予め選択された状態となっている。
【００４６】
さらに、各機能には同じくユーザａａａａａが事前に設定した或いは操作履歴に基づき決定された画像出力設定が対応しており、１つの機能（例えば「Ｃｏｐｙ１」）を選択すると図示しない設定画面ＵＩに遷移して、その機能の画像出力設定をその場でも変えることが可能となっている。また、１つの機能（「Ｃｏｐｙ１」で例示）を選択してグレイアウトした状態でスタートボタン６５又は６６を選択すると、その機能及び画像出力設定（例えばＡ４用紙に２  ｉｎ  １で割付印刷する設定）で、カラー又はモノクロで印刷される。このような画像出力は、何処のＣＶＳ店舗に設置されたＭＦＰ１であっても可能であるが、カラーに非対応の機器であればモノクロのみ対応とすればよい。
【００４７】
また、操作パネル１２にはスタートボタン６５，６６も設けてあるため、最終的な画像出力の指示の方法を示唆する説明文６２を、図２のＵＩ画像６０に表示しておくことが好ましい。また、コンテンツサーバ４にて画像出力用として提供するコンテンツについてのコンテンツ情報６３やそのコンテンツに対する割引情報６４も表示させておいてもよい。ユーザは、コンテンツ情報６３に含まれる選択領域、この例ではお得情報、ライブ情報、観光スポットの中から望む選択領域を選択してＵＩ画像の下層に遷移して、最終的に画像出力対象とするコンテンツを選択することができる。
【００４８】
ＵＩ画像６０のようなＵＩ画像としては、同じユーザ、同じ事前設定等の場合、何処にあるＭＦＰ１でもできる限り同じものを提供できることが好ましいが、ＭＦＰは機種の違いにより無理な場合やそのような処理にファームウェアを書き換えることが難しいことが多い。上述したように、ＭＦＰ１にこのような表示を行う機能がない場合などは、デフォルトの画面用画像（例えば初期画面のＵＩ画像）そのものを用いてもよいが、例えば表示から図２ではスタートボタンの説明文６２のみを無くすなどしてもよい。
【００４９】
このようなＭＦＰ１の機種の違いを補うため、本システムでは、上述したように携帯端末装置５に指示を出し、以下に説明するように、表示に関してはより汎用的な機器が流通している携帯端末装置５の表示パネル５２でユーザに応じたＵＩ画像を表示させる。
【００５０】
携帯端末装置５では、主制御部５０が、ＭＦＰ１からの上述のような指示に従って、表示パネル５２にそのＵＩ画像を表示させる。また、ＵＩ画像の解像度については指定してもよいが、その場合には汎用的な表示部付きの携帯端末装置で表示可能な解像度にしておけばよい。無論、解像度は特に指定しなくてもよく、表示パネル５２に一杯になるように拡大又は縮小して表示するなど、携帯端末装置５側で調整することもできる。
【００５１】
このようにして携帯端末装置５の表示パネル５２には、図３で例示するようなＵＩ画像６０が表示される。図３のＵＩ画像６０は、図２のＵＩ画像６０と基本的に同じとする。但し、図３のＵＩ画像６０を表示パネル５２に表示させることが第１目的であり、その表示さえできればユーザは携帯端末装置５からＭＦＰ１を操作できるようになるため、上述したように図２の操作パネル１２には同じＵＩ画像を表示する必要は必ずしもない。
【００５２】
そして、ＭＦＰ１は、ＵＩ指示部３１による指示に基づき携帯端末装置５に図３で例示したようなＵＩ画像（つまりユーザＩＤに応じたＵＩ画像）６０を表示させた状態で、無線通信部１１を介して携帯端末装置５から受け付けたユーザによる操作に従って、サーバ（この例ではコンテンツサーバ４）から取得したコンテンツについて画像出力を実行する。
【００５３】
これにより、上述したように、対象となるコンテンツの印刷（ＦＡＸ受信データの印刷も含めてよい）、対象となるコンテンツのインターネットＦＡＸ送信、携帯端末装置５やＭＦＰ１に装着した可搬記録媒体へのコピーなどが実行できる。また、ＵＩ画像６０からは、インターネットＦＡＸの宛先の設定やアドレス帳の表示の他、インターネットＦＡＸの受信設定（これはコンテンツとして受信ファクシミリ画像の印刷又は可搬記録媒体へのコピーに該当する）やインターネットＦＡＸの送信設定が可能となっており、これらの設定内容についてもユーザによる事前設定等により決まっており、さらにこのＵＩ画像６０からの変更も可能となっている。
【００５４】
図３のＵＩ画像６０について説明する。図３のＵＩ画像６０は、操作パネル１２においてスタートボタン６５，６６を設け且つそのいずれかの選択により画像出力を実行するようにしているため、最終的な画像出力の指示の方法を示唆する説明文６２を図３のＵＩ画像６０に表示しておけばよい。これにより、操作パネル１２におけるスタートボタン６５，６６を最終的に押して処理が実行される。若しくは、ＵＩ画像６０にスタートボタン６５，６６のようなアイコンを含めてもよい。これにより、操作パネル１２におけるスタートボタン６５，６６を押下するか、図３のＵＩ画像６０に付加して表示パネル５２に表示させたスタートボタン６５，６６のアイコンを選択することで、すなわちＭＦＰ１或いは携帯端末装置５のいずれかで最終的な開始操作を行うことで、画像出力が実行される。いずれかの方法により、ユーザが画像出力を迷うことなく実行させることができる。
【００５５】
また、図３のＵＩ画像６０では、図２のＵＩ画像６０と同様のコンテンツ情報６３や割引情報６４も表示させておいてもよい。ユーザは、ＵＩ画像６０の下層に遷移して、最終的に画像出力対象とするコンテンツを選択することができる。
【００５６】
図４で例示するＵＩ画像６０ａは、ユーザｂｂｂｂｂが事前に設定した或いは操作履歴に基づき決定された機能及び画像出力設定が表示されたものであり、図３のＵＩ画像６０とは異なる。この例では、単に操作領域６１における「Ｃｏｐｙ１」，「Ｃｏｐｙ２」，「Ｐｒｉｎｔ１」，「Ｐｒｉｎｔ２」の順番が「Ｐｒｉｎｔ１」，「Ｐｒｉｎｔ２」，「Ｃｏｐｙ１」，「Ｃｏｐｙ２」と変わった例を挙げているが、このような単純な相違だけでなく、ユーザＩＤに応じて各機能の選択領域の配置や、さらにはコンテンツ情報６３や割引情報６４を表示するか否かなどについても、ユーザＩＤに応じて決めてもよい。
【００５７】
また、図４のＵＩ画像６０ａのコンテンツ情報６３では図３のＵＩ画像６０のコンテンツ情報６３と店舗名が異なるが、これは単にユーザ毎にコンテンツの提供用のＵＩ部分を事前設定可能にしておけば可能である。例えばコンテンツ購入機能を事前設定可能にしておき、その機能を生かすように設定しておけばよい。また、後述するように、ユーザのＷｅｂ店舗の閲覧や利用の履歴に応じて好ましい店舗を表示するようにしておいても履歴に応じて変えることができる。
【００５８】
また、ＭＦＰ１が画像出力対象のコンテンツを決定するタイミングについては、コンテンツを複数ユーザが登録した場合の複数のコンテンツや、コンテンツサーバ４で店舗側がサービスとして提供するコンテンツに対しては、画像出力対象のコンテンツを選択するＵＩ画像を表示させてユーザ操作に従って画像出力対象を決定すればよい。ユーザがコンテンツを登録した場合で且つ登録したコンテンツが１つである場合には、自動的にそれを画像出力対象として決定することができるし、事前に一度ファイル名などを確認させて確認の操作を受け付けた段階でそれに決定してもよい。
【００５９】
また、ＭＦＰ１が画像出力対象のコンテンツを取得するタイミングは、スタートボタン６５，６６がＭＦＰ１で押下されたとき、若しくは同様のボタンを表示パネル５２にも表示させていた場合にはそのボタンがタッチされたときでよい。また、画像出力対象のコンテンツがコンテンツサーバ４に格納されたコンテンツである場合、コンテンツサーバ４から直接ＭＦＰ１に送信するようにしておけばよいが、コンテンツサーバ４から携帯端末装置５に送信し、携帯端末装置５がＭＦＰ１に送信するようにしてもよい。
【００６０】
このように、ＵＩ画像を見ながらユーザは携帯端末装置５でＭＦＰ１を操作して画像出力するように構成しているため、高機能の操作パネルが設けられていないＭＦＰでもあたかも高機能の操作パネル１２があるかのように携帯端末装置５で操作することができる。また、例えばユーザの事前設定に基づいて、印刷機能、インターネットＦＡＸ送信機能などの画像出力機能のうち、スタートボタン６５，６６等によるワンクリックでユーザが望む機能を実行できるようなＵＩを提供することも可能になる。
【００６１】
次に、クラウドサーバ３が備える履歴格納部３２について説明する。履歴格納部３２は、携帯端末装置５からのユーザ操作の履歴（操作履歴）をＭＦＰ１から、ユーザ操作毎に又は一連のユーザ操作が終わった後に取得して、ユーザＩＤに関連付けて格納する。そして、ＵＩ指示部３１は、格納してあるユーザ操作の履歴に従って、つまり自動的に学習して、ユーザＩＤに応じて指定するＵＩ画像を変更する。変更する際に参照する履歴は、統計をとって頻度の高い機能や頻度の高い画像出力設定を採用してもよいし、最新の機能や画像出力設定を採用してもよい。
【００６２】
このように履歴格納部３２を設けることで、ＵＩ指示部３１で指定されるＵＩ画像をユーザ操作に応じて変更することができるようになり、ユーザがＭＦＰ１でユーザが操作した今までの使用履歴・集計を元にしてＵＩ画像をカスタマイズすることができる。例えば、ユーザの今までの使用履歴に基づいて、印刷機能、インターネットＦＡＸ送信機能などの画像出力機能のうち、スタートボタン６５，６６等によるワンクリックでユーザが望む機能を実行できるようなＵＩを提供することも可能になる。また、ＭＦＰ１でのユーザ操作のみならず、例えばＭＦＰ１が設置された店舗を経営する企業が提供するＷｅｂ上の販売サイトなどでの閲覧履歴や購入履歴も参照して、ＵＩ指示部３１がＵＩ画像を指定することで、例えば図２〜図４のようにコンテンツ情報６３を閲覧履歴や購入履歴に基づき提示することができる。
【００６３】
また、本システムではコンテンツを提供するサーバ（この例ではコンテンツサーバ４）を備えることが好ましく、このコンテンツサーバ４について説明する。このコンテンツサーバ４はコンテンツ登録部４１を有する。コンテンツ登録部４１は、携帯端末装置５又は携帯端末装置とは異なる情報処理装置（ＰＣ等）から、ネットワークＮを介し且つユーザＩＤ等のユーザ情報を指定してなされた、コンテンツの登録処理を受け付け、コンテンツをユーザＩＤに関連付けて格納する。これにより、ＭＦＰ１は、コンテンツをコンテンツサーバ４から取得し、取得したコンテンツについて画像出力を実行することができる。
【００６４】
コンテンツ登録部４１は、登録処理に際し、コンテンツに関連付けてコンテンツに関する画像出力設定を登録すること、つまり、ユーザからは、コンテンツ登録時に画像出力設定も登録可能にしておくことが好ましい。これにより、ユーザが微調整した用紙サイズ情報や色合い情報（濃度や解像度など）もクラウドサーバ３からアクセス可能な状態で管理してユーザがどこの店舗からアクセスしても同じ情報を取得してプリントアウトすることができる。
【００６５】
ここで、画像出力設定をコンテンツサーバ４で管理する例を挙げているが、クラウドサーバ３で管理していてもよく、その場合、ユーザＩＤだけでなくコンテンツを示す情報（コンテンツＩＤなど）と共に関連付けておけば、コンテンツサーバ４上に登録したコンテンツの画像出力時に適用してＵＩ画像を表示させることができる。また、ユーザがコンテンツサーバ４に登録したコンテンツに対して画像出力設定も登録した例を挙げているが、ユーザがクラウドシステム以外で取得するか作成したコンテンツが登録対象となるだけではない。
【００６６】
それ以外のコンテンツも登録対象となり、画像出力設定の登録対象とすることもできる。上述した画像出力設定は、図２〜図４を参照しながら説明した画像出力設定と基本的に同じであるが、コンテンツ登録部４１で登録するように説明した画像出力設定は、ユーザが登録する一意に定まるコンテンツに対する画像出力設定である点が異なる。図２〜図４を参照しながら説明した画像出力設定は、一般的に使用できる画像出力設定であり、ユーザがＵＩ指示部３１に事前に設定しておきそれを読み出すか、ＵＩ指示部３１が履歴格納部３２を参照して履歴に基づいて決定するようにしておけばよい。事前の設定は、コンテンツ登録部４１において、「任意のコンテンツ」を仮想的に登録して、それに対して画像出力設定を行うように構成することでも実現できる。同様の考えにより、店舗側が提供するコンテンツを指定することでコンテンツ登録を行い、それに対して画像出力設定を登録するよう構成することもできる。
【００６７】
以上、本システムによれば、どのような機種のＭＦＰでも、ＭＦＰ１に対してクラウドサーバ３からユーザカスタマイズされたＵＩ画像を提供できるようになり、ユーザカスタマイズされたＵＩ画像で操作させることを、容易に可能にする。さらに各機能において画像出力設定を予め登録しておけば、その設定に合致した画像出力を行うこともできる。そして、メーカーはそのようなＭＦＰ１について機種展開が容易に行えたり、単純に無線通信部を設けておくという共通仕様により主制御部１０のファームウェアのバージョンアップだけで、この機能を付加することもできる。特に、機種によって操作パネルの大きさが異なるといったラインナップでも、気にすることなくこのサービスを提供できる。
【００６８】
また、図２で例示したように、本システムでもＭＦＰ１の機種（少なくとも表示性能）を揃えることで、クラウドの機能を用いてＣＶＳ店舗の場所などの環境に依存することなく、ユーザが事前登録したユーザＩＤ等を元にしてそのユーザに合致したＵＩ画像をＭＦＰ１の操作パネル１２に提供するように構成することもできる。すなわち、本システムにより、ＭＦＰ１に対してクラウドサーバ３からユーザカスタマイズされたＵＩ画像を提供できるようになり、例えばユーザによる今までの使用履歴に基づいて、印刷機能、インターネットＦＡＸ送信機能などの画像出力機能のうち、ワンクリックでユーザが望む機能を実行できるようなＵＩを提供することも可能になる。
【００６９】
次に、図５及び図６を参照しながら、本システムでの画像出力の流れの一例について説明する。図５は、図１の画像出力システムを利用してユーザが画像出力を行う場合の流れの一例を説明するためのフロー図で、図６は、図１の画像出力システムにおけるＭＦＰの動作の一例を説明するためのフロー図である。
【００７０】
まず、図５に基づきユーザの作業の流れを説明する。ユーザは、専用Ｗｅｂサイト（例えばクラウドサーバ３上に設けたサイト）において、本システムで提供するサービスの会員登録を行う（ステップＳ１）。その際、例えば１０桁の英数字などのユーザＩＤを発行する、若しくはユーザが重複を避けるように決める。このユーザＩＤは図１〜図４を参照しながら説明したものであり、登録内容はユーザ認証部２１等に格納される。
【００７１】
そして、会員登録時、若しくは後日、ユーザは使用するコンテンツサービスを設定する（ステップＳ２）。ここでの設定は例えば使用する可能性のあるサービスを設定する。有料の場合にはサービスの数によって対価を異ならせてもよい。そして、ステップＳ２と同時に若しくは後日、ユーザは事前に一番使用する可能性のある機能（この例ではプリンティング機能、つまり印刷機能）を設定する（ステップＳ３）。このとき、印刷対象のコンテンツの登録も行う。
【００７２】
ユーザは、クラウド連携したＭＦＰ１が設置されたＣＶＳ店舗に出向き（ステップＳ４）、クラウドサービスに既に登録している場合（ステップＳ５でＹＥＳの場合）、ステップＳ７〜Ｓ１１の操作を行う。一方でステップＳ１等により登録を行っていない場合（ステップＳ５でＮＯの場合）、クラウドサービスに登録するか否かを判断し（ステップＳ１２）、登録するのであれば（ステップＳ１２でＹＥＳの場合）、ＭＦＰ１から又は所持している携帯端末装置５からステップＳ２〜Ｓ３と同様の作業を行う（ステップＳ１３〜Ｓ１５）。ステップＳ１２でＮＯの場合、少なくともサービスを利用するために仮ＩＤをクラウドサーバ３から取得するなどしてから（ステップＳ１６）、ステップＳ１４，Ｓ１５の作業を行う。ステップＳ１６の後は、ステップＳ６へ進む。
【００７３】
ステップＳ６では、その段階では既にクラウドサービスに登録又は仮登録済みであるため、出向いたＭＦＰ１の操作パネル１２において又は携帯端末装置５の表示パネル５２において、ログイン画面であるネットワーク設定画面を表示させる操作を行う（ステップＳ６）。ＭＦＰ１に直接、ユーザＩＤを入力すると判断した場合（ステップＳ７で「直接入力」の場合）、操作パネル１２からユーザＩＤを入力してユーザ認証を行う（ステップＳ８）。一方、携帯端末装置５からユーザＩＤを入力すると判断した場合（ステップＳ７で「無線通信」の場合）、操作パネル１２の近くで、携帯端末装置５からユーザＩＤを入力し、無線通信を介したユーザ認証を行う（ステップＳ１０）。ステップＳ８，Ｓ１０の処理後は、いずれも入力したユーザＩＤに対応したＵＩ画像が表示パネル５２（及び操作パネル１２）に表示され、それを操作して登録済みのコンテンツの印刷を実行する（ステップＳ９，Ｓ１１）。ステップＳ９とステップＳ１１は別に記載しているが同じ処理である。
【００７４】
次に、図６に基づき、本システムでの処理としてＭＦＰ１での処理を中心に説明する。
まず、ＭＦＰ１は、ステップＳ６に対応してネットワーク設定画面を操作パネル１２に表示させると共に、無線通信により表示パネル５２にも表示させる（ステップＳ２１）。ＭＦＰ１は、ユーザＩＤが直接操作パネル１２で入力されたか、携帯端末装置５の表示パネル５２で入力されたかを判定し（ステップＳ２２）、前者の場合にステップＳ２３〜Ｓ２５の処理を実行し、後者の場合にステップＳ２９〜Ｓ３１の処理を実行する。
【００７５】
ステップＳ２３では、そのユーザＩＤの入力を受け付けて、認証サーバ２に対してユーザ認証を要求する。そして、この要求に従い、クラウドシステムがクラウド連携を行うことで、認証サーバ２がユーザ認証を行い、失敗すれば失敗である旨を通知し、成功すればクラウドサーバ３でそのユーザＩＤに応じたＵＩ画像を指定してその表示指示をＭＦＰ１に行う（ステップＳ２４）。次に、ＭＦＰ１は、可能であれば操作パネル１２にそのＵＩ画像を表示すると共に、携帯端末装置５の表示パネル５２にはそのＵＩ画像を表示させる（ステップＳ２５）。
【００７６】
ステップＳ２５及び後述のステップＳ３１で表示されるＵＩ画像については、図５のステップＳ２，Ｓ３での設定に基づき、ＵＩ画像に表示させる機能や一番選択し易いところで既に選択した状態で表示する機能（この例では印刷機能）が決まることになる。但し、ユーザ操作の履歴を考慮する場合、ＵＩ画像の表示後、もしユーザが選んだ機能が異なれば、次回にはその選んだ機能が一番選択し易いところに表示されるようにすればよい。
【００７７】
ステップＳ２５に続き、ＭＦＰ１は、操作パネル１２又は表示パネル５２から受け付けたユーザ操作に従って、画像出力を行う（ステップＳ２６）。また、ＭＦＰ１は、ＵＩ画像における機能の使用履歴やコンテンツ提供サービスにおけるアクセス履歴（どの種類のコンテンツにアクセスしたかなど）を、クラウドサーバ３に送信する（ステップＳ２７）。そして、クラウド連携により、クラウドサーバ３が履歴の集計を行う（ステップＳ２８）。
【００７８】
また、ステップＳ２９では、そのユーザＩＤの入力を無線通信により受け付けて、認証サーバ２に対してユーザ認証を要求する。そして、この要求に従い、クラウドシステムがクラウド連携を行うことで、認証サーバ２がユーザ認証を行い、失敗すれば失敗である旨を通知し、成功すればクラウドサーバ３でそのユーザＩＤに応じたＵＩ画像を指定してその表示指示をＭＦＰ１に行う（ステップＳ３０）。次に、ＭＦＰ１は、既に携帯端末装置５の表示パネル５２からユーザは操作を望んでいるため、操作パネル１２にそのＵＩ画像を表示することなく、表示パネル５２のみにそのＵＩ画像を表示させる（ステップＳ３１）。その後、ステップＳ２６へ進む。
【００７９】
このような処理により、ユーザは携帯端末装置５からユーザカスタマイズされたＵＩ画像でＭＦＰ１を操作してクラウドサービスを利用することができる。また、ユーザが使用した機能やアクセスしたサービスの情報をネットワーク経由にてクラウドサーバにて収集することにも連携可能であるため、ユーザニーズを即座に収集・集計して顧客満足度の充実のためのデータに集計することができる。
【００８０】
このように、本システムは、ユーザビリティが向上し、何処のＣＶＳ等の店舗や施設等であっても簡単スタート行えるサービスに適用できる。ここで、ＣＶＳに置かれることをメインとして考えた場合、ユーザ操作の履歴からユーザがよく使うコンテンツ情報や類似コンテンツ情報を提供したり、クーポン情報、ポイントの有効期限情報などＣＶＳ店舗などで使えるサービスも提供することができる。これについては、図２〜図４のコンテンツ情報６３や割引情報６４で例示した通りである。また、店舗が提供している様々なコンテンツのコンテンツサーバ４ともクラウドサーバ３は連携させることができるため、集計したアクセス頻度に応じて各ユーザが欲している情報をユーザに提供することができ、結果としてユーザの要求をキャッチアップして新たな機能創出生み出していくこともできる。またこれらのユーザ操作の履歴からある程度の日単位、ユーザ単位での情報集計ができ、サービスマンによるメンテナンス時やユーザのニーズ抽出などにも役に立てることができる。このように、店舗側がサービスとして提供する上述のような情報は、各ＣＶＳ店舗でのニーズ分析やＣＶＳ全体としてのニーズ分析にも役立てることができ、それらもクラウドサーバ３などで一括管理するように構成することができる。
【００８１】
また、ユーザが使用した機能などのユーザ操作の履歴は、特に店舗側がコンテンツサーバ４から提供したコンテンツが画像出力された場合、販売実績情報として利用することができる。従って、このサービスをユーザが享受したときに、店舗等から取得情報（ユーザの年齢を判断した年齢情報等）をＰＯＳ（Point Of Sale）サーバに供給するようにしておくと共に、クラウドサーバ３における上記ユーザ操作の履歴の情報をＰＯＳサーバに自動的に供給するようにしておけば、販売実績情報がＰＯＳサーバに蓄積できる。
【００８２】
また、ＭＦＰ１は、サービスマンがメンテナンスを行うことがあるが、ユーザがサービスマンコールをＭＦＰ１から直接又は携帯端末装置５を介してクラウドシステム側に送信可能としておけばよい。そして、ユーザと同様に、サービスマン用にカスタマイズされたＵＩ画像も表示できるように構成しておき、サービスマンがメンテナンス実施時に、メンテナンス中であることを操作パネル１２又は同様のサービスマン用にカスタマイズされたＵＩ画像からクラウドサーバ３に送信するようにしておく。この送信に応答して、クラウドサーバ３は、それまでに発生したサービスマンコールなどのアラート情報を集計して、ＭＦＰ１に必要な消耗品やメンテナンスが必要となる部位などを、即座に操作パネル１２又は表示パネル５２に表示させるようにＭＦＰ１に返信するよう、構成することもできる。
【００８３】
以上、本発明に係るサーバ（図１の例ではコンテンツサーバ４）が、画像出力対象のコンテンツを格納することを前提として説明したが、本システムはそのような例に限らず、画像出力対象のコンテンツは携帯端末装置５に格納してあるものであってもよい。
【００８４】
つまり、ＭＦＰ１は、画像出力を行う際、携帯端末装置５から取得したコンテンツについて画像出力を実行する。無論、この場合にも表示パネル５２にＵＩ画像を表示させた状態で、ユーザ操作を携帯端末装置５で受け付け、そのユーザ操作に従ってＭＦＰ１がそのコンテンツの画像出力を実行する。コンテンツは、ＭＦＰ１から取得要求を出してもよいし、逆に携帯端末装置５側からＭＦＰ１に送信するようにしてもよい。
【００８５】
その他、画像出力対象のコンテンツは、例えばＭＦＰ１に装着したＵＳＢメモリなどの可搬記録媒体から読み出したものであってもよい。また、これらの例でも、ＭＦＰ１の操作パネル１２からのユーザ操作によっても、コンテンツの画像出力が可能に構成しておいてもよい。
【００８６】
以上、本発明に係る画像出力システムについて説明したが、本発明は、上述したシステムにおいて、画像出力を行う画像出力方法としての形態も採用することができる。その方法や応用例については、画像出力システムについて説明した通りであり、その説明を省略する。また本発明は、このような画像出力方法における各装置内のコンピュータに実行させるためのプログラムとしての形態も採り得る。各装置内のコンピュータとしては、上述したようにマイクロコンピュータやプログラム可能な汎用の集積回路／チップセットなど、様々な形態のコンピュータが適用できる。上述したように、サーバ用のコンピュータとしては汎用コンピュータも適用できる。またこれらのプログラムは、インターネット等のネットワークを介して、また放送波を介して、さらには可搬の記録媒体を介して流通させることができる。
【符号の説明】
【００８７】
Ｎ…ネットワーク、１…ＭＦＰ、２…認証サーバ、３…クラウドサーバ、４…コンテンツサーバ、５…携帯端末装置、１０…ＭＦＰの主制御部、１１…ＭＦＰの無線通信部、１２…操作パネル、１３…認証処理部、１４…画像出力部、２１…ユーザ認証部、３１…ＵＩ指示部、３２…履歴格納部、４１…コンテンツ登録部、５０…主制御部、５１…無線通信部、５２…表示パネル、６０，６０ａ…ＵＩ画像、６１…操作領域、６２…説明文、６３…コンテンツ情報、６４…割引情報、６５，６６…スタートボタン、６７…アンテナ部。
【図１】
0005852215.tif 000002
【図２】
0005852215.tif 000003
【図３】
0005852215.tif 000004
【図４】
0005852215.tif 000005
【図５】
0005852215.tif 000006
【図６】
0005852215.tif 000007